(57)【特許請求の範囲】
【請求項１】
複数の可動刃を含む可動プレート、および、複数の固定刃を含む固定プレートを備え、
前記可動プレートが一方向に移動する過程において、１つの前記可動刃の進行方向側の刃先が隣り合う２つの前記固定刃のうちの一方の前記固定刃上から前記２つの固定刃の間に形成される溝である固定刃溝上に移動し、前記１つの可動刃の進行方向側とは反対側の刃先が前記２つの固定刃のうちの他方の前記固定刃上に移動するまでの間において、前記１つの可動刃と隣り合う前記可動刃である隣接可動刃が前記２つの固定刃の一方、または、前記固定プレートに含まれる別の前記固定刃と接触し続け、
前記固定刃の刃幅は前記可動刃のピッチと前記可動刃の刃幅とを加えた長さよりも長い
トリマーの刃。
【請求項２】
前記隣接可動刃の全体が前記２つの固定刃の一方、または、前記固定プレートに含まれる別の前記固定刃と接触する
請求項１に記載のトリマーの刃。
【請求項３】
複数の可動刃を含む可動プレート、および、複数の固定刃を含む固定プレートを備え、
前記可動プレートが一方向に移動する過程において、１つの前記可動刃の進行方向側の刃先が隣り合う２つの固定刃の間に形成される溝である固定刃溝上から前記２つの固定刃のうちの一方の前記固定刃上に移動するとき、前記１つの可動刃と隣り合う前記可動刃である隣接可動刃の全体が前記２つの固定刃の一方、または、前記固定プレートに含まれる別の前記固定刃と接触し続け、
前記固定刃の刃幅は前記可動刃のピッチと前記可動刃の刃幅とを加えた長さよりも長い
トリマーの刃。
【請求項４】
複数の可動刃を含む可動プレート、および、複数の固定刃を含む固定プレートを備え、
前記可動プレートが一方向に移動する過程において、１つの前記可動刃の全体が隣り合う２つの固定刃の間に形成される溝である固定刃溝上に配置されているとき、前記１つの可動刃と隣り合う前記可動刃である隣接可動刃の全体が前記２つの固定刃の一方、または、前記固定プレートに含まれる別の前記固定刃と接触し続け、
前記固定刃の刃幅は前記可動刃のピッチと前記可動刃の刃幅とを加えた長さよりも長い
トリマーの刃。
【請求項５】
前記隣接可動刃の一方が前記２つの固定刃の一方と接触し、前記隣接可動刃の他方が前記２つの固定刃の他方と接触する
請求項１〜４のいずれか一項に記載のトリマーの刃。
【請求項６】
前記可動刃における最大の刃幅が前記固定刃溝の幅よりも狭い
請求項１〜５のいずれか一項に記載のトリマーの刃。
【請求項７】
請求項１〜６のいずれか一項に記載のトリマーの刃を備えるトリマー。
【発明の詳細な説明】
【技術分野】
【０００１】
本発明はトリマーの刃およびこれを備えるトリマーに関する。
【背景技術】
【０００２】
トリマーの刃は複数の固定刃および複数の可動刃を備える。複数の可動刃が複数の固定刃に対して往復運動することにより、可動刃と固定刃との間に挟み込まれた毛がカットされる。なお、特許文献１は従来のトリマーの一例を開示している。
【先行技術文献】
【特許文献】
【０００３】
【特許文献１】特開２０１４−１２４２６１号公報
【発明の概要】
【発明が解決しようとする課題】
【０００４】
トリマーが使用されるとき、可動刃または固定刃が対象部位に押し付けられることにより可動刃または固定刃が撓むことがある。可動刃および固定刃のいずれが撓んだ場合にも、隣り合う固定刃の間に形成される溝に可動刃が入り込み、固定刃に対する可動刃の移動にともない可動刃の刃先が固定刃の刃先に衝突するおそれがある。
【０００５】
本発明の目的は可動刃の刃先と固定刃の刃先とが干渉しにくいトリマーの刃およびこれを備えるトリマーを提供することである。
【課題を解決するための手段】
【０００６】
本発明の一形態に従うトリマーの刃は、複数の可動刃を含む可動プレート、および、複数の固定刃を含む固定プレートを備え、隣り合う２つの前記固定刃の間に形成される溝である固定刃溝上に１つの前記可動刃の少なくとも一部が位置するときに前記１つの可動刃と隣り合う可動刃である隣接可動刃が前記固定刃または別の固定刃と接触する。
【発明の効果】
【０００７】
上記トリマーの刃およびこれを備えるトリマーによれば、可動刃の刃先と固定刃の刃先とが干渉しにくい。
【図面の簡単な説明】
【０００８】
【図１】は実施の形態１のトリマーの正面図である。
【図２】は図１のトリマーの内部の正面図である。
【図３】は図１のヘッドユニットの側面図である。
【図４】は図１のヘッドユニットの正面図である。
【図５】は図１のトリマーの刃の斜視図である。
【図６】は図４のＺ６−Ｚ６線に沿う断面図である。
【図７】は図５のトリマーの刃の正面図である。
【図８】は図７のＺ８−Ｚ８線に沿う断面図である。
【図９】は図１のトリマーの使用形態の一例を示す断面図である。
【図１０】は図１のトリマーの使用形態の一例を示す断面図である。
【発明を実施するための形態】
【０００９】
（トリマーの刃およびこれを備えるトリマーが取り得る形態の一例）
〔１〕本発明の一形態に従うトリマーの刃は、複数の可動刃を含む可動プレート、および、複数の固定刃を含む固定プレートを備え、隣り合う２つの前記固定刃の間に形成される溝である固定刃溝上に１つの前記可動刃の少なくとも一部が位置するときに前記１つの可動刃と隣り合う可動刃である隣接可動刃が前記固定刃または別の固定刃と接触する。
【００１０】
１つの可動刃が固定刃溝上に位置するときに可動刃または固定刃を撓ませようとする力が可動刃または固定刃に加えられることがある。本トリマーの刃によれば、１つの可動刃が固定刃溝上に位置するときに隣接可動刃が固定刃と接触しているため、可動刃または固定刃に加えられる上記力が互いに接触する隣接可動刃および固定刃により受けられる。このため、隣接可動刃の間に存在する１つの可動刃、または、隣接可動刃と接触する２つの固定刃の間に存在する固定刃が変形しにくい。このため、可動刃が固定刃溝に入り込むことが抑えられ、可動刃の刃先と固定刃の刃先とが干渉しにくい。
【００１１】
〔２〕前記トリマーの刃の一例によれば、前記可動プレートが一方向に移動する過程において、前記１つの可動刃の刃先が前記２つの固定刃のうちの一方の固定刃上から前記固定刃溝上に移動してから前記１つの可動刃の刃先が前記２つの固定刃のうちの他方の固定刃上に移動するまでの間において前記隣接可動刃が前記固定刃または別の固定刃と接触する。
【００１２】
可動刃の一部が固定刃溝上に位置し、可動刃の他の部分が固定刃上に位置するとき、可動刃の一部が固定刃により支持されるとはいえ、可動刃に加えられる負荷の大きさによっては可動刃の他の部分が固定刃溝に入り込むおそれがある。一方、本トリマーの刃によれば、可動刃の刃先の少なくとも一方が固定刃溝上に位置するときに、その可動刃に加えられる力が互いに接触する隣接可動刃および固定刃により受けられるため、可動刃が固定刃溝に入り込むおそれが一層低減される。
【００１３】
〔３〕前記トリマーの刃の一例によれば、前記隣接可動刃の全体が前記隣り合う２つの前記固定刃の一方、または、前記固定プレートに含まれる別の前記固定刃と接触する。
本トリマーの刃によれば、１つの可動刃が固定刃溝上に位置するときに隣接可動刃の一部だけが固定刃と接触する場合と比較して、隣接可動刃における負荷を受ける面積が広い。このため、可動刃または固定刃が一層変形しにくい。
【００１４】
〔４〕前記トリマーの刃の一例によれば、前記隣接可動刃の一方が前記２つの固定刃の一方と接触し、前記隣接可動刃の他方が前記２つの固定刃の他方と接触する。
一方の隣接可動刃が接触する固定刃と他方の隣接可動刃が接触する固定刃との表面粗さが異なる場合、一方または両方の隣接可動刃が撓んだ状態で固定刃と接触するおそれがある。この場合、隣接可動刃の変形にともない１つの可動刃が固定刃溝に入り込むおそれがある。一方、固定刃における可動刃との接触面の表面粗さが固定刃毎に異なる場合がある。ここで、任意の１つの固定刃を基準の固定刃に設定した場合、この基準の固定刃との距離が短い固定刃ほど基準の固定刃との表面粗さの相違の度合が小さいことが多い。本トリマーの刃によれば、この点を踏まえて上記〔４〕のとおり隣接可動刃および固定刃の関係が設定されるため、隣接可動刃が撓みにくい。このため、可動刃が固定刃溝に入り込むおそれが一層低減される。
【００１５】
〔５〕前記トリマーの刃の一例によれば、前記可動刃における最大の刃幅が前記固定刃溝の幅よりも狭い。
本トリマーの刃によれば、可動刃における最大の刃幅が固定刃溝の幅よりも広い場合と比較して、可動プレートに含まれる可動刃の数を多く設定できる。このため、可動プレートの１往復あたりにカットできる毛の量が増加する。
【００１６】
〔６〕前記トリマーの刃の一例によれば、前記固定刃の刃幅が前記可動刃のピッチと前記可動刃の刃幅とを加えた長さよりも長い。
本トリマーの刃によれば、固定刃の刃幅が可動刃のピッチと可動刃の刃幅とを加えた長さよりも短い場合と比較して、１つの固定刃に接触可能な可動刃の枚数が多くなる。このため、可動刃または固定刃が一層撓みにくい。
【００１７】
〔７〕本発明の一形態に従うトリマーは、上記〔１〕〜〔６〕のいずれかに記載のトリマーの刃を備える。
本トリマーによれば、トリマーの刃における可動刃の刃先と固定刃の刃先とが干渉しにくいため、長期間にわたって使用されても切味が低下しにくい。
【００１８】
（実施の形態）
図１〜図４を参照して、トリマー１の構成について説明する。
図１に示されるように、トリマー１は複数の機械要素を内部に収納する本体１０、および、本体１０に装着されるヘッドユニット２０を備える。本体１０はグリップ１１、トリマー１の電源をオンまたはオフに切り替える電源スイッチ１２、および、一次電池または二次電池を内部に収納する電池ケース１３を備える。ヘッドユニット２０は対象部位に当てられるトリマーの刃３０を備え、本体１０の先端部分に着脱可能に取り付けられる。
【００１９】
図２に示されるように、本体１０は電池ケース１３に収納される電池と電気的に接続される電気モーター１４、および、電気モーター１４の出力軸と結合される運動変換機構１５を内部に備える。電気モーター１４は電源スイッチ１２がオンに設定されることにより駆動し、電源スイッチ１２がオフに設定されることにより停止する。運動変換機構１５は電気モーター１４の出力軸の回転運動を並進運動に変換する。
【００２０】
図３に示されるように、トリマーの刃３０は複数の固定刃４０（図４参照）を含む固定プレート３１、および、複数の可動刃５０（図４参照）を含む可動プレート３３を備える。固定プレート３１および可動プレート３３は互いに対向する。ヘッドユニット２０は固定プレート３１を固定するフレーム２１、可動プレート３３の往復運動を案内する案内プレート２２、および、可動プレート３３を固定プレート３１に押し付けるためのばね２４をさらに備える。
【００２１】
フレーム２１は固定プレート３１に対して可動プレート３３が配置される側とは反対側から固定プレート３１を支持し、固定プレート３１が位置ずれしないように固定プレート３１を保持する。案内プレート２２は可動プレート３３に対して固定プレート３１が配置される側とは反対側から可動プレート３３を支持し、可動プレート３３が位置ずれしないように可動プレート３３を保持する。
【００２２】
図４に示されるように、案内プレート２２はヘッドユニット２０を本体１０（図１参照）に装着するための装着部２３を備える。装着部２３はヘッドユニット２０が本体１０に装着されることにより運動変換機構１５（図２参照）と接続される。装着部２３は電気モーター１４（図２参照）が駆動することにより、運動変換機構１５からヘッドユニット２０の幅方向の力のみが伝達される。このため、可動プレート３３は案内プレート２２を介してヘッドユニット２０の幅方向に往復運動する。これにより、複数の可動刃５０が複数の固定刃４０に対して往復運動し、可動刃５０と固定刃４０との間に挟み込まれた毛がカットされる。
【００２３】
ばね２４の一例はダブルトーションばねである。ばね２４はフレーム２１に取り付けられ、案内プレート２２を介して可動プレート３３を固定プレート３１に押し付けることにより固定刃４０と可動刃５０とを接触させる。
【００２４】
図５〜図８を参照して、トリマーの刃３０の構成について説明する。
図５に示されるように、固定プレート３１は固定プレート３１の本体を構成する基部３２、基部３２から突出する複数の固定刃４０、および、隣り合う固定刃４０の間に形成される複数の溝である複数の固定刃溝４１を備える。複数の固定刃４０はヘッドユニット２０（図４参照）の幅方向に等間隔に並べられる。固定刃４０は可動刃５０と接触する部分である接触部分４２を備え、固定刃溝４１に入り込む毛を支持する刃先４３がヘッドユニット２０の幅方向における接触部分４２の可動刃５０側の面の両端に形成される。固定刃４０は接触部分４２よりも先端側の部分である先端部分４４、および、先端部分４４に形成され、可動刃５０側とは反対側に向けて突き出る肉厚部４５をさらに備える。
【００２５】
可動プレート３３は可動プレート３３の本体を構成する基部３４、基部３４から突出する複数の可動刃５０、および、隣り合う可動刃５０の間に形成される複数の溝である複数の可動刃溝５１を備える。複数の可動刃５０はヘッドユニット２０の幅方向に等間隔に並べられる。可動刃５０は固定刃４０と接触する部分である接触部分５２を備え、往復運動にともない可動刃溝５１に流れ込む毛をカットする刃先５３がヘッドユニット２０の幅方向における接触部分５２の固定刃４０側の面の両端に形成される。
【００２６】
トリマーの刃３０は可動刃５０が動作するときに以下に示すような関係が得られるように、固定刃４０の接触部分４２の刃幅ＷＡ（図８参照）、固定刃溝４１の幅、可動刃５０の接触部分５２の刃幅ＷＢ（図８参照）、および、可動刃溝５１の幅が設定される。
【００２７】
固定刃溝４１上に１つの可動刃５０の刃先５３の少なくとも一方が位置するとき、この１つの可動刃５０と隣り合う可動刃５０である隣接可動刃５０Ａが固定刃４０と接触する。この場合、可動刃５０が一方向に移動する過程において、１つの可動刃５０の進行方向側の刃先５３の全部が隣り合う２つの固定刃４０のうちの一方の固定刃４０上から固定刃溝４１上に移動するときに隣接可動刃５０Ａが固定刃４０と接触する。そして、１つの可動刃５０の進行方向側とは反対側の刃先５３の一部が隣り合う２つの固定刃４０のうちの他方の固定刃４０上に移動するまでの間において隣接可動刃５０Ａが固定刃４０と接触し続ける。
【００２８】
隣接可動刃５０Ａの一方は隣り合う２つの固定刃４０の一方と接触する。隣接可動刃５０Ａの他方は隣り合う２つの固定刃４０の他方と接触する。また、隣接可動刃５０Ａは全体が固定刃４０と接触する。
【００２９】
図６に示されるように、固定刃４０の長手方向における肉厚部４５の長さＬＡは先端部分４４の長さＬＢよりも短い。また、固定刃４０の接触部分４２の厚さＴＡと可動刃５０の接触部分５２の厚さＴＢとが実質的に同じであり、互いに薄い。接触部分４２の厚さＴＡが薄く形成される場合、固定刃４０側を対象部位に当ててカットするときに毛を短くカットできる。接触部分５２の厚さＴＢが薄く形成される場合、可動刃５０側を対象部位に当ててカットするときに毛を短くカットできる。
【００３０】
図７に示されるように、可動刃５０は先細りの形状であり、可動刃５０における最大の刃幅が固定刃溝４１の幅よりも狭い。固定刃４０の先端部分４４の刃幅である肉厚部４５の幅は接触部分４２のうちの先端部分４４側の刃幅よりも広い。また、図８に示されるように、固定刃４０の接触部分４２の刃幅ＷＡは可動刃５０のピッチＰと可動刃５０の刃幅ＷＢとを加えた長さよりも長い。
【００３１】
図８〜図１０を参照して、トリマーの刃３０の作用について説明する。
トリマー１（図１参照）の使用形態によれば、アタッチメント（図示略）が本体１０（図１参照）に装着されることなく使用される。
【００３２】
図９に示されるように、ユーザーはトリマーの刃３０の固定刃４０側を対象部位の一例である肌１００に当てることにより毛をカットする。トリマーの刃３０によれば、固定刃４０の肉厚部４５を肌１００に当てながらトリマー１（図１参照）を動かす場合、１つの可動刃５０が固定刃溝４１（図８参照）上に位置するときに固定刃４０を撓ませようとする力が加えられる。このため、図８の二点鎖線に示すように、可動刃５０が固定刃溝４１に入り込むことがある。
【００３３】
一方、固定刃溝４１上に１つの可動刃５０が位置するとき、この１つの可動刃５０の隣接可動刃５０Ａが固定刃４０と接触する。このため、固定刃４０を撓ませようとする力が互いに接触する隣接可動刃５０Ａおよび固定刃４０により受けられる。このため、上記力が加えられたとしても固定刃４０が変形しにくい。このため、可動刃５０が固定刃溝４１に入り込むことが抑えられ、可動刃５０の刃先５３と固定刃４０の刃先４３とが干渉しにくい。
【００３４】
図１０に示されるように、ユーザーはトリマーの刃３０の可動刃５０側を肌１００に当てることにより毛をカットする。トリマーの刃３０によれば、可動刃５０側を肌１００に当てながらトリマー１（図１参照）を動かす場合、１つの可動刃５０が固定刃溝４１（図８参照）上に位置するときに可動刃５０を撓ませようとする力が加えられる。このため、図８の二点鎖線に示すように、可動刃５０が固定刃溝４１に入り込むことがある。
【００３５】
一方、固定刃溝４１上に１つの可動刃５０が位置するとき、この１つの可動刃５０の隣接可動刃５０Ａが固定刃４０と接触する。このため、可動刃５０を撓ませようとする力が互いに接触する隣接可動刃５０Ａおよび固定刃４０により受けられる。このため、上記力が加えられたとしても隣接可動刃５０Ａの間に存在する１つの可動刃５０が変形しにくい。このため、可動刃５０が固定刃溝４１に入り込むことが抑えられ、可動刃５０の刃先５３と固定刃４０の刃先４３とが干渉しにくい。
【００３６】
トリマーの刃３０によれば、さらに以下の効果が得られる。
（１）可動刃５０の一部が固定刃溝４１上に位置し、可動刃５０の他の部分が固定刃４０上に位置するとき、可動刃５０の一部が固定刃４０により支持されるとはいえ、可動刃５０に加えられる負荷の大きさによっては可動刃５０の他の部分が固定刃溝４１に入り込むおそれがある。一方、トリマーの刃３０によれば、可動刃５０の刃先５３の少なくとも一方が固定刃溝４１上に位置するときに、その可動刃５０に加えられる力が互いに接触する隣接可動刃５０Ａおよび固定刃４０により受けられるため、可動刃５０が固定刃溝４１に入り込むおそれが一層低減される。
【００３７】
（２）トリマーの刃３０は隣接可動刃５０Ａの全体が固定刃４０と接触する。このため、１つの可動刃５０が固定刃溝４１上に位置するときに隣接可動刃５０Ａの一部だけが固定刃４０と接触する場合と比較して、隣接可動刃５０Ａにおける負荷を受ける面積が広い。このため、可動刃５０または固定刃４０が一層変形しにくい。
【００３８】
（３）一方の隣接可動刃５０Ａが接触する固定刃４０と他方の隣接可動刃５０Ａが接触する固定刃４０との表面粗さが異なる場合、一方または両方の隣接可動刃５０Ａが撓んだ状態で固定刃４０と接触するおそれがある。この場合、隣接可動刃５０Ａの変形にともない１つの可動刃５０が固定刃溝４１に入り込むおそれがある。一方、固定刃４０における可動刃５０との接触面の表面粗さが固定刃４０毎に異なる場合がある。ここで、任意の１つの固定刃４０を基準の固定刃４０に設定した場合、この基準の固定刃４０との距離が短い固定刃４０ほど基準の固定刃４０との表面粗さの相違の度合が小さいことが多い。トリマーの刃３０によれば、隣接可動刃５０Ａの一方が隣り合う２つの固定刃４０の一方と接触し、隣接可動刃５０Ａの他方が隣り合う２つの固定刃４０の他方と接触するため、隣接可動刃５０Ａが撓みにくい。このため、可動刃５０が固定刃溝４１に入り込むおそれが一層低減される。
【００３９】
（４）トリマーの刃３０は可動刃５０における最大の刃幅が固定刃溝４１の幅よりも狭い。このため、可動刃５０における最大の刃幅が固定刃溝４１の幅よりも広い場合と比較して、可動プレート３３に含まれる可動刃５０の数を多く設定できる。このため、可動プレート３３の１往復あたりにカットできる毛の量が増加する。
【００４０】
（５）トリマーの刃３０は固定刃４０の接触部分４２の刃幅ＷＡが可動刃５０のピッチＰと可動刃５０の刃幅ＷＢとを加えた長さよりも長い。このため、固定刃４０の刃幅ＷＡが可動刃５０のピッチＰと可動刃５０の刃幅ＷＢとを加えた長さよりも短い場合と比較して、１つの固定刃４０に接触可能な可動刃５０の枚数が多くなる。このため、可動刃５０または固定刃４０が一層撓みにくい。
【００４１】
（６）トリマーの刃３０によれば、肉厚部４５が固定刃４０の先端部分４４に形成されるため、ユーザーが固定刃４０側を肌１００に当てるときに固定刃４０の刃先４３が肌１００に接触しにくい。このため、肌１００に刺激を与えにくい。
【００４２】
（７）トリマーの刃３０は肉厚部４５が先端部分４４における可動刃５０側とは反対側に向けて突き出ている。このため、固定刃４０の可動刃５０側の面が仕上げ加工されるとき、その加工を形成する工具の動作が肉厚部４５により妨げられない。このため、肉厚部４５が先端部分４４における可動刃５０側に向けて突き出ている場合と比較して、固定刃４０の可動刃５０側の面を加工しやすく、かつ、その面の加工精度が向上する。
【００４３】
（８）トリマーの刃３０は肉厚部４５の長さＬＡが先端部分４４の長さＬＢよりも短い。このため、固定刃４０側を対象部位に当ててカットするときのカット後の毛の長さが接触部分４２の厚さＴＡにより決められる。このため、固定刃４０側を対象部位に当ててカットするときに毛を短くカットできる。
【００４４】
（９）トリマーの刃３０は固定刃４０の先端部分４４の刃幅である肉厚部４５の幅が接触部分４２のうちの先端部分４４側の刃幅よりも広い。このため、可動刃溝５１に流れ込んだ毛の外部への移動が肉厚部４５により妨げられやすい。このため、外部へ移動した毛が再び可動刃溝５１に入り込みやすくなり、可動刃５０によりカットできる毛の量が増加する。
【００４５】
（１０）トリマーの刃３０は接触部分４２の厚さＴＡと接触部分５２の厚さＴＢとが実質的に同じである。このため、固定刃４０側を対象部位に当ててカットする場合と可動刃５０側を対象部位に当ててカットする場合とでカット後の毛の長さがばらつきにくい。
【００４６】
（１１）固定刃４０の接触部分４２および可動刃５０の接触部分５２の厚さＴＡ，ＴＢが薄い。このため、固定刃４０および可動刃５０のいずれが対象部位に接触する場合にも、毛を短くカットできる。一方、固定刃４０および可動刃５０は厚さＴＡ，ＴＢが薄く設定されていることにより、剛性を高めるために厚さが厚く設定される刃と比較して、荷重が加えられたときに変形しやすい。ただし、トリマーの刃３０によれば、上記（１）に記載されるとおり隣接可動刃５０Ａおよび固定刃４０により荷重が受けられるため、固定刃４０または可動刃５０が対象部位に押し付けられても撓みにくい。このように、トリマーの刃３０によれば、可動刃５０の刃先５３と固定刃４０の刃先４３とが干渉するおそれを低減させながら、各接触部分４２，５２の厚さＴＡ，ＴＢを薄く設定できる。
【００４７】
（１２）ばね２４により可動刃５０が固定刃４０に押し付けられる。このため、往復運動する可動刃５０に負荷が加えられても可動刃５０が固定刃４０から離れにくい。このため、例えば多量の毛をカットする場合でも毛をカットする性能が安定して維持される。この効果はばね２４のばね定数が高いほど得られやすい。一方、ばね２４が可動刃５０に加える力は可動刃５０を撓ませるおそれがある。この傾向はばね２４のばね定数が高いほど強くなりやすい。ただし、トリマーの刃３０によれば、上記（１）に記載されるとおり隣接可動刃５０Ａおよび固定刃４０により荷重が受けられるため、ばね２４の力に起因する可動刃５０の撓みが生じにくい。このように、トリマーの刃３０によれば、可動刃５０の刃先５３と固定刃４０の刃先４３とが干渉するおそれを低減させながら、ばね２４のばね定数を高く設定できる。
【００４８】
（変形例）
本発明に従うトリマーの刃が取り得る具体的な形態は上記実施の形態に例示された形態に限定されない。本発明に従うトリマーの刃は上記実施の形態とは異なる各種の形態を取り得る。以下に示される上記実施の形態の変形例はトリマーの刃が取り得る各種の形態の一例である。
【００４９】
・接触部分４２の厚さＴＡと接触部分５２の厚さＴＢとの関係は任意に変更可能である。一例によれば、接触部分４２の厚さＴＡが接触部分５２の厚さＴＢよりも薄い。
・変形例の固定刃４０は先端部分４４の刃幅が接触部分４２のうちの先端部分４４側の刃幅と実質的に同じである。別の変形例の固定刃４０は先端部分４４の刃幅が接触部分４２のうちの先端部分４４側の刃幅よりも狭い。
【００５０】
・変形例の可動刃５０は接触部分５２のうちの先端側の刃幅が中間または根本側の刃幅よりも広い。この変形例によれば、可動刃溝５１に流れ込んだ毛の外部への移動が接触部分５２のうちの先端側の刃幅により妨げられやすい。このため、可動刃溝５１に流れ込んだ毛が可動刃５０によりカットされやすくなる。
【００５１】
・固定刃４０の先端部分４４に肉厚部４５を形成するか否かは任意に変更可能である。
・１つの固定刃４０に接触可能な可動刃５０の最大の枚数は任意の変更可能である。一例によれば、１つの固定刃４０に接触可能な可動刃５０の最大の枚数が１枚または３枚以上のいずれかの枚数である。
【００５２】
・各固定刃溝４１の幅は任意に変更可能である。
・各可動刃溝５１の幅は任意に変更可能である。
・変形例の可動刃５０における最大の刃幅は固定刃溝４１の幅と実質的に同じである。別の変形例の可動刃５０における最大の刃幅は固定刃溝４１の幅よりも広い。
【００５３】
・隣接可動刃５０Ａの一方が接触する固定刃４０は任意に変更可能である。一例として、隣接可動刃５０Ａの一方は隣り合う２つの固定刃４０の一方と隣接する固定刃４０と接触する。
【００５４】
・隣接可動刃５０Ａの他方が接触する固定刃４０は任意に変更可能である。一例として、隣接可動刃５０Ａの他方は隣り合う２つの固定刃４０の他方と隣接する固定刃４０と接触する。
【００５５】
・１つの可動刃５０が固定刃溝４１上に位置するときに固定刃４０と接触する隣接可動刃５０Ａの面積は任意に変更可能である。一例として、固定刃溝４１上に１つの可動刃５０が位置するとき、隣接可動刃５０Ａの一部が固定刃４０と接触する。
【００５６】
・固定刃４０の接触部分４２の刃幅ＷＡ、固定刃溝４１の幅、可動刃５０の接触部分５２の刃幅ＷＢ、および、可動刃溝５１の幅のそれぞれは任意に変更可能である。変形例のトリマーの刃３０は可動刃５０が動作するときに以下に示すような関係が得られるように上記４つの幅を変更する。
【００５７】
変形例のトリマーの刃３０の一例によれば、固定刃溝４１上に１つの可動刃５０の短手方向における中心線が位置するとき、この１つの可動刃５０の隣接可動刃５０Ａが固定刃４０と接触する。
【００５８】
別の変形例のトリマーの刃３０の一例によれば、固定刃溝４１上に１つの可動刃５０の一部が位置するとき、この１つの可動刃５０の隣接可動刃５０Ａが固定刃４０と接触する。この場合、可動刃５０が一方向に移動する過程において、１つの可動刃５０の一部が隣り合う２つの固定刃４０のうちの一方の固定刃４０上から固定刃溝４１上に移動するときに隣接可動刃５０Ａが固定刃４０と接触する。そして、１つの可動刃５０の全部が隣り合う２つの固定刃のうちの他方の固定刃４０上に移動するまでの間において隣接可動刃５０Ａが固定刃４０と接触し続ける。
【００５９】
（課題を解決するための手段に関する付記）
〔付記１〕前記固定刃は前記可動刃と接触する部分である接触部分、前記接触部分よりも先端側の部分である先端部分、および、前記先端部分に形成される肉厚部を備える請求項１〜６のいずれか一項に記載のトリマーの刃。
【００６０】
〔付記２〕前記固定刃における前記可動刃側とは反対側に向けて前記肉厚部が突き出る付記１に記載のトリマーの刃。
〔付記３〕前記固定刃の長手方向における前記肉厚部の長さは前記先端部分の長さよりも短い付記１または２に記載のトリマーの刃。
【００６１】
〔付記４〕前記先端部分の刃幅の少なくとも一部が前記接触部分のうちの前記先端部分側の刃幅よりも広い付記１〜３のいずれか一項に記載のトリマーの刃。
〔付記５〕前記接触部分の厚さと前記可動刃のうちの前記接触部分と接触する部分の厚さとが実質的に同じである付記１〜４のいずれか一項に記載のトリマーの刃。
【符号の説明】
【００６２】
１      トリマー
３０    トリマーの刃
３１    固定プレート
３３    可動プレート
４０    固定刃
４１    固定刃溝
５０    可動刃
５０Ａ  隣接可動刃
５３    刃先
ＷＡ    刃幅
ＷＢ    刃幅
Ｐ      ピッチ
【図１】
0006341379.tif 000002
【図２】
0006341379.tif 000003
【図３】
0006341379.tif 000004
【図４】
0006341379.tif 000005
【図５】
0006341379.tif 000006
【図６】
0006341379.tif 000007
【図７】
0006341379.tif 000008
【図８】
0006341379.tif 000009
【図９】
0006341379.tif 000010
【図１０】
0006341379.tif 000011